【事件の表示】
　平成１１年特許願第　１４５３７号「表示装置」拒絶査定不服審判事件〔平成１２年　８月　４日出願公開、特開２０００−２１４８３７〕について、次のとおり審決する。
【結　論】
　本件審判の請求は、成り立たない。
【理　由】
第１　手続の経緯 
　本願は、平成１１年１月２２日の出願であって、平成１８年７月２４日付け（発送日平成１８年８月１日）で拒絶査定がなされ、これに対し、平成１８年８月３１日に拒絶査定に対する審判請求がなされるとともに、同日付けで手続補正がなされたものである。 
　 
第２　平成１８年８月３１日付けの手続補正についての補正却下の決定 
１　補正却下の決定の結論 
　平成１８年８月３１日付けの手続補正（以下、「本件補正」という。）を却下する。 
　 
２　理由 
（１）本件補正の内容 
　本件補正は、補正前の特許請求の範囲である、 
「【請求項１】　全体の処理を行う中央処理装置と、
　表示用の表示部と、
　第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号を出力する切換信号出力部、前記通信制御部と前記第１および第２画像メモリとの間に介在するとともに前記メモリアクセス部と前記第１および第２画像メモリとの間に介在し前記切換信号に応じて前記第１および第２画像メモリの一方を読み出し用として前記メモリアクセス部に接続するとともに前記第１および第２画像メモリの他方を書き込み用として前記通信制御部に接続する切換部、および前記制御信号および前記メモリアクセス部を介して読み出される画像データを前記表示部に同期をとって出力する出力同期部により構成され、前記表示部に画像を表示する際に使用される画像データを前記画像メモリに記憶させるとともに、前記制御信号の生成および画像データの読み出しを自動的に行って、これら制御信号および画像データを周期的に前記表示部に出力する表示制御部と
　を備える表示装置。
　　【請求項２】　全体の処理を行う中央処理装置と、
　表示用の表示部と、
　第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号を出力する切換信号出力部、前記通信制御部と前記第１および第２画像メモリとの間に介在するとともに前記メモリアクセス部と前記第１および第２画像メモリとの間に介在し前記切換信号に応じて前記第１および第２画像メモリの一方を読み出し用として前記メモリアクセス部に接続するとともに前記第１および第２画像メモリの他方を書き込み用として前記通信制御部に接続する切換部、および前記制御信号および前記メモリアクセス部を介して読み出される画像データを前記表示部に同期をとって出力する出力同期部により構成され、前記表示部に画像を表示する際に使用される画像データを前記画像メモリに記憶させるとともに、前記制御信号の生成および画像データの読み出しを自動的に行って、これら制御信号および画像データを周期的に前記表示部に出力する表示制御部と
　を備え、
　前記表示制御部は、前記中央処理装置からの制御情報および当該表示制御部の状態を示す情報を記憶する共有メモリと、前記中央処理装置からのアクセスを制御するとともに当該表示制御部の状態を示す情報を前記共有メモリに記憶させる共有メモリ制御部とを有する
　表示装置。
　　【請求項３】　全体の処理を行う中央処理装置と、
　表示用の表示部と、
　前記表示部の複数画面分の画像データを予め区分けされた各区間内に格納して記憶する第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスであって前記各区間のうちオフセット信号から特定される区間内のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号を出力する切換信号出力部、前記通信制御部と前記第１および第２画像メモリとの間に介在するとともに前記メモリアクセス部と前記第１および第２画像メモリとの間に介在し前記切換信号に応じて前記第１および第２画像メモリの一方を読み出し用として前記メモリアクセス部に接続するとともに前記第１および第２画像メモリの他方を書き込み用として前記通信制御部に接続する切換部、および前記制御信号および前記メモリアクセス部を介して読み出される画像データを前記表示部に同期をとって出力する出力同期部により構成され、前記表示部に画像を表示する際に使用される画像データを前記画像メモリに記憶させるとともに、前記制御信号の生成および画像データの読み出しを自動的に行って、これら制御信号および画像データを周期的に前記表示部に出力する表示制御部とを備え、前記表示制御部は、前記中央処理装置からの制御情報および当該表示制御部の状態を示す情報を記憶する共有メモリと、前記中央処理装置からのアクセスを制御するとともに当該表示制御部の状態を示す情報を前記共有メモリに記憶させる共有メモリ制御部と、前記共有メモリ制御部を介して前記共有メモリから得られる所定情報から前記オフセット信号を生成して前記アドレス生成部に出力するオフセット切換部とを有する
表示装置。」
を補正後の、
「【請求項１】　全体の処理を行う中央処理装置と、
　表示用の表示部と、
　第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号
であって中央処理装置から出力された切換信号を制御信号生成部から出力される制御信号と同期させて
　を備える表示装置。
　　【請求項２】　全体の処理を行う中央処理装置と、
　表示用の表示部と、
　第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号
であって中央処理装置から出力された切換信号を制御信号生成部から出力される制御信号と同期させて
　を備え、
　前記表示制御部は、前記中央処理装置からの制御情報および当該表示制御部の状態を示す情報を記憶する共有メモリと、前記中央処理装置からのアクセスを制御するとともに当該表示制御部の状態を示す情報を前記共有メモリに記憶させる共有メモリ制御部とを有する
　表示装置。
　　【請求項３】　全体の処理を行う中央処理装置と、
　表示用の表示部と、
　前記表示部の複数画面分の画像データを予め区分けされた各区間内に格納して記憶する第１および第２画像メモリと、
　前記中央処理装置と通信を行う通信制御部、前記表示部で画像表示を行う際に使用される制御信号を生成する制御信号生成部、前記第１および第２画像メモリに対するアクセス用のアドレスであって前記各区間のうちオフセット信号から特定される区間内のアドレスを生成するアドレス生成部、前記制御信号およびアドレスを用いて前記第１および第２画像メモリの一方にアクセスを行うメモリアクセス部、前記第１および第２画像メモリをそれぞれ交互に書き込み用および読み出し用のいずれかの用途に切り換えるための切換信号
であって中央処理装置から出力された切換信号を制御信号生成部から出力される制御信号と同期させて
前記共有メモリ制御部を介して前記共有メモリから得られる所定情報から前記オフセット信号を生成して前記アドレス生成部に出力するオフセット切換部とを有する
　表示装置。」
と補正する補正事項を含むものである。（なお、下線は、補正箇所を示すために請求人が付したものである。） 
　 
（２）本件補正の適否について 
　本件補正における上記補正事項は、補正前の請求項１ないし３に記載した、発明を特定するために必要な事項である「切り換え信号を出力する」について、「切換信号であって中央処理装置から出力された切換信号を制御信号生成部から出力される制御信号と同期させて出力する」と限定するものであるから、平成１８年改正前特許法第１７条の２第４項第２号に規定する特許請求の範囲の減縮を目的とするものである。 
　そこで、本件補正後における特許請求の範囲の請求項１に記載されている事項により特定される発明（以下、「本件補正発明１」という。）が特許出願の際独立して特許を受けることができるものであるか（平成１８年改正前特許法第１７条の２第５項において準用する同法第１２６条第５項に規定する要件を満たすか）否かについて以下に検討する。 
　 
（３）引用刊行物 
ア　原査定の拒絶の理由に引用された、本願出願前に頒布された刊行物である特開平８−９５５３８号公報（以下、「引用刊行物１」という。）には、図面とともに以下の技術事項が記載されている。 
（ア−ａ）「【０００１】【産業上の利用分野】本発明はダブルバッファを持つグラフィックディスプレイ装置に係り、特に、ＣＰＵのオーバーヘッドを低減するのに好適なグラフィックディスプレイ装置とその描画処理方法に関する。」
　
（ア−ｂ）「【０００３】ダブルバッファの表示面切り換えでは、表示面切り換え要求を処理するタイミングでの画面のちらつきを防止する観点から、表示面切り換えを、ディスプレイの垂直帰線区間内で行うことが要求される。このため、上記の従来技術では、表示面切り換え要求の処理を開始する時点から、垂直帰線が開始するまでの間に、待ちが発生する。この待ちの発生を、図２により説明する。
【０００４】図２において、ＣＰＵ２００は、主記憶２０１に格納されているプログラムにより、図形描画処理，表示面切り換え処理を行う。
【０００５】図形描画処理を行う場合、ＣＰＵ２００は、表示制御回路２０２に対し図形描画処理命令を設定する。表示制御回路２０２は、図形描画回路２０３を使用して、フレームメモリ（以下、ＦＭという。）２０４Ａまたは２０４Ｂに図形描画を行う。ＦＭデータ読み出し回路２０５は、ＦＭ２０４Ａまたは２０４Ｂの表示データを読み出し、Ｄ／Ａ２０６に送る。Ｄ／Ａ２０６は、表示データに従い、デジタル・アナログ変換を行ってディスプレイ２０７に表示する。ダブルバッファ機能は、表示データの読み出し元を、ＦＭ２０４ＡとＦＭ２０４Ｂの間で切り換えることにより実現する。
【０００６】表示面切り換え処理を実行する場合、ＣＰＵ２００は、表示制御回路２０２に新しい表示面としてＦＭ２０４Ａを読み出すかＦＭ２０４Ｂを読み出すかの設定を行う。表示制御回路２０２は、Ｄ／Ａ２０６から出力される「垂直帰線を開始したことを通知する開始信号」の入力後に、新しい表示面をＦＭデータ読み出し回路２０５に設定する。ＦＭデータ読み出し回路２０５が、新しい表示面から表示データを読み出し、ディスプレイ２０７上に表示することで、表示面の切り換え処理が終わる。」
　
（ア−ｃ）
「【０００８】【発明が解決しようとする課題】図２に示す従来技術の場合、表示制御回路２０２に、新しい表示面の設定を行ってから、Ｄ／Ａ２０６より表示制御回路２０２に垂直帰線開始信号が出力されるまで、表示制御回路２０２は待ち状態となる。つまり、図形描画処理等が行えない状態になる。・・・【０００９】・・・ＣＰＵ実行時間の有効活用という観点から無視できないオーバーヘッドとなる。・・・【００１１】本発明の目的は、上記のオーバーヘッドを低減するグラフィックディスプレイ装置とその描画処理方法を提供することにある。」
　
（ア−ｄ）　 
「【００１２】【課題を解決するための手段】上記目的は、ダブルバッファを持ち図形描画機能を有するグラフィックディスプレイ表示装置において、ダブルバッファに対する表示面切換要求と図形描画処理要求が連続して発行されたときに表示面切換処理実行前の垂直帰線開始待ちを行っている間に図形描画処理を実行する実行することで、達成される。
【００１３】【作用】従来では画面のちらつき防止のために待ち時間となっていた時間中に、後続の図形描画処理を実行するため、ＣＰＵのオーバーヘッドの削減が可能となる。」
　
（ア−ｅ）「【００１４】【実施例】以下、本発明の一実施例を図面を参照して説明する。図１は、本発明の一実施例に係るグラフィックディスプレイ装置の構成図である。図１において、ＣＰＵ１００は、主記憶１０１に格納されたプログラムにより図形描画処理と表示面切換処理を実行する。
【００１５】図形描画処理を実行する場合、ＣＰＵ１００は、図形描画回路１０２に図形描画命令を設定する。図形描画処理回路１０２は、ＦＭ１０３ＡまたはＦＭ１０３Ｂ上に図形を描画する。ＦＭデータ読出回路１０４は、ディスプレイ１０６に表示する表示面の表示データを、ＦＭ１０３ＡまたはＦＭ１０３Ｂから読み出し、Ｄ／Ａ１０５に送る。Ｄ／Ａ１０５は、表示データに従いデジタル信号をアナログ信号に変換し、ディスプレイ１０６に表示する。」
　
（ア−ｆ）　「【００１６】表示面切換処理を実行する場合、ＣＰＵ１００は、表示面選択回路１０７に新しく表示を行う表示面（１０３Ａまたは１０３Ｂ）を登録する。表示面選択回路１０７は、Ｄ／Ａ１０５から出力される垂直帰線区間開始信号を取り込んだ後、表示面をＦＭデータ読出回路１０４に設定する。この設定後に、表示面選択回路１０７はＣＰＵ１００に対し表示面の設定が終了した事を通知する。」
　
（ア−ｇ）　「【００３０】次に、クランイアント３０１から、表示面切換処理の要求と図形描画処理の要求とが続けてされ、両方の処理を同じに実行するときの動作を説明する。表示面切換処理の要求は、表示面切換処理部３０８により処理される。表示切換処理部３０８は、表示面選択回路１０７の表示面切換要求記憶テーブル３０５に、新しい表示面を設定する。
【００３１】後続の図形描画処理の要求で、表示面切換要求記憶テーブル３０５に登録された表示面を対象としないものは、分岐処理３０４により描画要求処理部３０７によって実行される。これにより、表示切り換えの待ちを表示面選択回路１０７が行っている間に、表示面切り換えに関係のない図形描画を実行可能である。」
　
　上記摘記事項（ア−ｅ）より、ＦＭ（フレームメモリ）１０３ＡまたはＦＭ（フレームメモリ）１０３Ｂの一方にアクセスを行うＦＭデータ読出回路１０４が読み取れる。
　また、上記摘記事項（ア−ｅ）及び（ア−ｆ）より、図形描画処理回路１０２、ＦＭデータ読出回路１０４、Ｄ／Ａ１０５、及び、表示面選択回路１０７は、全体としてディスプレイ１０６に出力する信号を制御しているから、これらを全体として表示制御手段といえるものである。
　
　したがって、上記摘記事項（ア−ａ）ないし（ア−ｇ）より、引用刊行物１には、次の発明（以下、「刊行物１発明」という。）が記載されていると認める。
「主記憶１０１に格納されたプログラムにより図形描画処理と表示面切換処理を実行するＣＰＵ１００と、
ディスプレイ１０６と、
ＦＭ（フレームメモリ）１０３ＡおよびＦＭ（フレームメモリ）１０３Ｂと、
図形描画処理回路１０２、垂直帰線区間開始信号を出力するＤ／Ａ１０５、ＦＭ１０３ＡまたはＦＭ１０３Ｂの一方にアクセスを行うＦＭデータ読出回路１０４、Ｄ／Ａ１０５から出力される垂直帰線区間開始信号を取り込んだ後、ＣＰＵ１００が登録した新しく表示を行う表示面をＦＭデータ読出回路１０４に設定する表示面選択回路１０７により構成され、図形描画処理回路１０２はＣＰＵ１００に設定された図形描画命令によりＦＭ１０３ＡまたはＦＭ１０３Ｂ上に図形を描画し、ＦＭデータ読出回路１０４はディスプレイ１０６に表示する表示面の表示データをＦＭ１０３ＡまたはＦＭ１０３Ｂから読み出してＤ／Ａ１０５に送り、Ｄ／Ａ１０５は表示データに従いデジタル信号をアナログ信号に変換し、ディスプレイ１０６に表示する表示制御手段と
を備えるグラフィックディスプレイ表示装置」
　
（４）　対比 
本件補正発明１と刊行物１発明とを対比する。 
　
ア　刊行物１発明の「ＣＰＵ１００」、「ディスプレイ１０６」、「ＦＭ（フレームメモリ）１０３ＡおよびＦＭ（フレームメモリ）１０３Ｂ」、「表示制御手段」、「グラフィックディスプレイ表示装置」は、
　本件補正発明１の「中央演算処理装置」、「表示部」、「第１および第２画像メモリ」、「表示制御部」、「表示装置」にそれぞれ相当している。
　
イ　刊行物１発明が、表示制御手段とＣＰＵ１００とで通信を行うための手段を備えていることは明らかであるから、当該刊行物１発明の通信を行うための手段と、本件補正発明１の「通信制御部」とは、「中央演算処理手段と通信を行うための手段」を備える点で共通している。
　
ウ　刊行物１発明の「Ｄ／Ａ１０５」はＦＭ１０３ＡまたはＦＭ１０３Ｂから読み出された表示データに従いデジタル信号をアナログ信号に変換し、ディスプレイ１０６に表示するとともに、垂直帰線区間開始信号を出力することから、刊行物１発明の「Ｄ／Ａ１０５」と本件補正発明１の「制御信号生成部」とは「表示部で画像表示を行う際に使用される制御信号を出力する手段」である点で共通している。
　
エ　刊行物１発明の「ＦＭデータ読出回路１０４」は、「ディスプレイ１０６に表示する表示面の表示データを、ＦＭ１０３ＡまたはＦＭ１０３Ｂから読み出し」とされていて、
　本件補正発明１の「メモリアクセス部」は「読み出し用として前記メモリアクセス部に接続する」ものであるから、
　刊行物１発明の「ＦＭデータ読出回路１０４」と本件補正発明１の「前記第１および第２画像メモリに対するアクセス用のアドレスを生成するアドレス生成部、前記制御信号およびアドレスを用いて前記第１および第２画像メモリの一方にアクセスを行うメモリアクセス部」とは、「前記第１および第２画像メモリの一方にアクセスを行うメモリアクセス手段」である点で共通している。
　
オ　刊行物１発明の「表示面選択回路１０７」は、「Ｄ／Ａ１０５から出力される垂直帰線区間開始信号を取り込んだ後、ＣＰＵ１００が登録した新しく表示を行う表示面をＦＭデータ読出回路１０４に設定する」ものであるから、
　刊行物１発明の「表示面選択回路１０７」と本件補正発明の「前記第１および第２画像メモリをそれぞれ交互に書き込み用および読み出し用のいずれかの用途に切り換えるための切換信号であって中央処理装置から出力された切換信号を制御信号生成部から出力される制御信号と同期させて出力する切換信号出力部」とは、
「前記第１および第２画像メモリをそれぞれ切り換えるための切換信号であって中央処理装置から出力された切換信号を制御信号生成部から出力される制御信号と同期させて出力する切換信号を出力する手段」
である点で共通している。
　
カ　刊行物１発明の「ＦＭデータ読出回路１０４」はまた、本件補正発明１の「前記通信制御部と前記第１および第２画像メモリとの間に介在するとともに前記メモリアクセス部と前記第１および第２画像メモリとの間に介在し前記切換信号に応じて前記第１および第２画像メモリの一方を読み出し用として前記メモリアクセス部に接続するとともに前記第１および第２画像メモリの他方を書き込み用として前記通信制御部に接続する切換部」とは、「前記中央演算処理手段と通信を行うための手段と前記第１および第２画像メモリとの間に介在するとともに、
　前記メモリアクセス手段と前記第１および第２画像メモリとの間に介在し前記切換信号に応じて前記第１および第２画像メモリの一方を読み出し用として前記メモリアクセス手段に接続する切換手段」
である点でも共通している。
　また、刊行物１発明の「図形描画処理回路１０２」はＣＰＵ１００に設定された図形描画命令によりＦＭ１０３ＡまたはＦＭ１０３Ｂ上に図形を描画するものであるから、
　刊行物１発明の「図形描画処理回路１０２」と本件補正発明１の「前記通信制御部と前記第１および第２画像メモリとの間に介在するとともに前記メモリアクセス部と前記第１および第２画像メモリとの間に介在し前記切換信号に応じて前記第１および第２画像メモリの一方を読み出し用として前記メモリアクセス部に接続するとともに前記第１および第２画像メモリの他方を書き込み用として前記通信制御部に接続する切換部」とは、「前記第１および第２画像メモリを書き込み用として、中央演算処理手段と通信を行うための手段に接続する手段」である点で共通している。
　
キ　刊行物１発明は、「ディスプレイ１０６に表示する表示面の表示データをＦＭ１０３ＡまたはＦＭ１０３Ｂから読み出してＤ／Ａ１０５に送り、Ｄ／Ａ１０５は表示データに従いデジタル信号をアナログ信号に変換し、ディスプレイ１０６に表示する」構成を備えるから、刊行物1発明の「Ｄ／Ａ１０５」と、本件補正発明１の「前記制御信号および前記メモリアクセス部を介して読み出される画像データを前記表示部に同期をとって出力する出力同期部」とは、
「前記メモリアクセス手段を介して読み出される画像データを前記表示部に出力する出力手段」である点で共通している。
　
ク　刊行物１発明の「ＦＭ１０３ＡまたはＦＭ１０３Ｂ上に図形を描画し」との構成の「図形」および「描画」は、本件補正発明１の「前記表示部に画像を表示する際に使用される画像データを前記画像メモリに記憶させる」との構成の「前記表示部に画像を表示する際に使用される画像データ」および「記憶させる」にそれぞれ相当しているから、
刊行物１発明の「図形描画処理回路１０２はＣＰＵ１００に設定された図形描画命令によりＦＭ１０３ＡまたはＦＭ１０３Ｂ上に図形を描画し」は、本件補正発明の「前記表示部に画像を表示する際に使用される画像データを前記画像メモリに記憶させる」に相当している。
　また、刊行物１発明の、「ＦＭデータ読出回路１０４はディスプレイ１０６に表示する表示面の表示データをＦＭ１０３ＡまたはＦＭ１０３Ｂから読み出してＤ／Ａ１０５に送り、Ｄ／Ａ１０５は表示データに従いデジタル信号をアナログ信号に変換し、ディスプレイ１０６に表示する」との構成は、当該アナログ信号がディスプレイ１０６に表示するための信号であることからすれば、制御信号と画像データとの同期がとれている信号として周期的に出力されている信号であることは明らかであるから、刊行物１発明の上記構成は、本件補正発明１の「画像データを周期的に前記表示部に出力する」との構成に相当している。
　してみると、刊行物１発明の「図形描画処理回路１０２はＣＰＵ１００に設定された図形描画命令によりＦＭ１０３ＡまたはＦＭ１０３Ｂ上に図形を描画し、ＦＭデータ読出回路１０４はディスプレイ１０６に表示する表示面の表示データをＦＭ１０３ＡまたはＦＭ１０３Ｂから読み出してＤ／Ａ１０５に送り、Ｄ／Ａ１０５は表示データに従いデジタル信号をアナログ信号に変換し、ディスプレイ１０６に表示する」構成は、本件補正発明１の「表示制御部」と、「前記表示部に画像を表示する際に使用される画像データを前記画像メモリに記憶させるとともに、画像データの読み出しを自動的に行って、画像データを周期的に前記表示部に出力する表示制御部」である点で共通している。
　
　すると、本件補正発明１と刊行物１発明とは、次の点で一致し、 
［一致点］ 
「全体の処理を行う中央処理装置と、
　表示用の表示部と、
　第１および第２画像メモリと、
　前記中央処理装置と通信を行う中央演算処理手段と通信を行うための手段、表示部で画像表示を行う際に使用される制御信号を出力する手段、前記第１および第２画像メモリの一方にアクセスを行うメモリアクセス手段、前記第１および第２画像メモリをそれぞれ切り換えるための切換信号であって中央処理装置から出力された切換信号を制御信号生成部から出力される制御信号と同期させて出力する切換信号を出力する手段、前記中央演算処理手段と通信を行うための手段と前記第１および第２画像メモリとの間に介在するとともに、前記メモリアクセス手段と前記第１および第２画像メモリとの間に介在し前記切換信号に応じて前記第１および第２画像メモリの一方を読み出し用として前記メモリアクセス手段に接続する切換手段、前記第１および第２画像メモリを書き込み用として、中央演算処理手段と通信を行うための手段に接続する手段、および、前記メモリアクセス手段を介して読み出される画像データを前記表示部に出力する出力手段により構成され、前記表示部に画像を表示する際に使用される画像データを前記画像メモリに記憶させるとともに、画像データの読み出しを自動的に行って、画像データを周期的に前記表示部に出力する表示制御部と
　を備える表示装置。」
　
　次の相違点１ないし４で相違している。
［相違点１］ 
　中央演算処理手段と通信を行うための手段が、本件補正発明１は、通信制御部を備え、該通信制御部に接続することで通信を行うものであるのに対して、刊行物１発明はどのような手段で行うものであるのか不明な点。
　
［相違点２］
　前記第１および第２画像メモリの一方にアクセスを行うメモリアクセス手段が、本件補正発明１は「前記第１および第２画像メモリに対するアクセス用のアドレスを生成するアドレス生成部」、「前記制御信号およびアドレスを用いて前記第１および第２画像メモリの一方にアクセスを行うメモリアクセス部」を備え、画像データの読み出しを自動的に行なうものであるのに対して、刊行物１発明は、メモリへのアクセスに関しての具体的手段が不明である点。
　
［相違点３］
　メモリアクセス手段に接続する切換手段、及び、第１および第２画像メモリを書き込み用として、中央演算処理手段と通信を行うための手段に接続する手段が、本件補正発明１は、「前記第１および第２画像メモリをそれぞれ交互に書き込み用および読み出し用のいずれかの用途に切り換えるための切換信号」を用いて、「前記切換信号に応じて前記第１および第２画像メモリの一方を読み出し用として前記メモリアクセス部に接続するとともに前記第１および第２画像メモリの他方を書き込み用として前記通信制御部に接続する切換部」であるのに対して、刊行物１発明はそのような構成ではない点。
　
［相違点４］
　表示部で画像表示を行う際に使用される制御信号を出力する手段が、本件補正発明１は、制御信号を生成する制御信号生成手段であって、「画像データを前記表示部に出力する出力手段」を、「前記制御信号および前記メモリアクセス部を介して読み出される画像データを前記表示部に同期をとって出力する出力同期部」として表示部に制御信号と画像データを出力し、表示制御部により制御信号の生成を自動的に行って、これら制御信号および画像データを表示部に出力するものであるのに対して、
刊行物１発明は、表示部で画像表示を行う際に使用される制御信号を出力する手段である「Ｄ／Ａ１０５」からは制御信号（垂直帰線区間開始信号）が出力されるものの、当該制御信号を生成する手段が明記されておらず、自動的に生成されるものであるのかも不明であって、その出力信号が制御信号と画像データとの同期がとれている信号であることは明らかであるとしても、どのような手段で同期をとっているものであるか、また、制御信号が表示部に出力されるか否かも不明である点。
　
（５）判断 
　上記相違点について検討する。 
ア　相違点１について 
　中央演算処理手段と通信を行うための手段として、通信制御をおこなう通信制御部を備えて、通信制御部に接続することで通信を行うことは例を挙げるまでもなく周知技術であるから、刊行物１発明に上記周知技術を適用して本件補正発明１の相違点１に係る構成のようになすことは当業者が適宜なし得たことである。
　
イ　相違点２について
　画像メモリにアクセスを行う際に、メモリに対するアクセス用のアドレスを生成する手段を備えて、当該アドレスと表示用の制御信号とを用いて、画像データの読み出しを自動的に行うことは、例えば、特開平９−２６９７６２号公報にみられるように周知技術であるから、刊行物１発明に上記周知技術Ｂを適用して本件補正発明１の相違点２に係る構成のようになすことは当業者が適宜なし得たことである。
　
ウ　相違点３について
　２つの画像メモリを書き込み用および読み出し用として用い、一方を読み出し用としてメモリアクセス部に接続して読み出される画像データを表示部に表示するようになした表示装置において、交互に書き込み用および読み出し用のいずれかの用途に切り換えるようにすることは、例えば、特開昭６２−１１８８９号公報、特開平５−３５２５７号公報にみられるように周知技術である。したがって、刊行物１発明の切換信号を「前記第１および第２画像メモリをそれぞれ交互に書き込み用および読み出し用のいずれかの用途に切り換えるための切換信号」とし、また、刊行物１発明の切換手段を「前記切換信号に応じて前記第１および第２画像メモリの一方を読み出し用として前記メモリアクセス部に接続するとともに前記第１および第２画像メモリの他方を書き込み用として前記通信制御部に接続する切換部」とすることにより、本件補正発明１の相違点３に係る構成のようになすことは当業者が上記周知技術に基づいて容易に想到できたことである
　
エ　相違点４について
　表示部に対して、表示部で画像表示を行う際に使用される制御信号と画像データとを同期をとって出力するようになした表示装置において、表示部で必要とする信号に応じて、制御信号を生成する手段および当該制御信号と画像データとの同期をとって出力する手段を表示部への画像データ出力部に備えることは、例えば、特開平７−７２８３７号公報（特に、「表示制御回路１５」参照。）にみられるように周知技術である。
　したがって、刊行物１発明の表示部で画像表示を行う際に使用される制御信号を出力する手段である「Ｄ／Ａ１０５」に対して、表示部で必要とする信号に応じて、制御信号を自動的に生成する手段を付加して制御信号を生成する制御信号生成手段となし、生成した信号と画像データとの同期をとって出力する手段を設けることにより、本件補正発明１の相違点４に係る構成のようになすことは当業者が周知技術に基づいて容易に想到できたことである。
　
オ　本件補正発明１が奏する作用効果について 
　本件補正発明１が奏する作用効果についても、引用刊行物１の記載事項及び周知技術に基づいて当業者が予測可能な範囲内のものである。 
　
カ　したがって、本件補正発明１は、刊行物１発明及び周知技術に基づいて当業者が容易に発明をすることができたものであるから、特許法第２９条第２項の規定により特許出願の際独立して特許を受けることができないものである。 
　 
（６）むすび 
　以上のとおり、本件補正は、平成１８年改正前特許法第１７条の２第５項において準用する同法第１２６条第５項の規定に違反するものであり、同法第１５９条第１項の規定において読み替えて準用する同法第５３条第１項の規定により却下すべきものである。 
　 
第３　本願発明について 
　平成１８年８月３１日付けの手続補正は、上記のとおり却下されたので、本願の請求項１ないし３に係る発明は、平成１８年２月２７日付けの手続補正書により補正された明細書及び図面の記載からみて、その特許請求の範囲１ないし３に記載された事項により特定されるとおりのものと認められるところ、その請求項１係る発明（以下、「本願第１発明」という。）は、上記「第２」の「２」の「（１）」の本件補正前の特許請求の範囲の請求項１に記載されたとおりのものである。 
　
第４　引用刊行物１に記載された発明 
　原査定の拒絶の理由に引用された引用刊行物１及びその記載事項は、上記「第２」の「２」の「（４）」に記載したとおりのものである。 
　 
第５　対比・判断 
　本願第１発明は、本件補正発明１の発明特定事項から、「切り換え信号を出力する」について、「切換信号であって中央処理装置から出力された切換信号を制御信号生成部から出力される制御信号と同期させて出力する」との限定事項を省いたものである。 
　そうすると、本願第１発明の発明特定事項をすべて含み、さらに他の限定事項を付加したものに相当する本件補正発明１が前記「第２」の「２」の（５）及び（６）に記載したとおり、刊行物１発明及び周知技術に基づいて当業者が容易に発明することができたものであるから、本願第１発明についても、同様の理由により、刊行物１発明及び周知技術に基づいて容易に発明をすることができたものであるから、特許法第２９条第２項の規定により特許を受けることができない。 
　 
第６　むすび 
　以上のとおり、本願第１発明は、引用刊行物１に記載された発明及び周知技術に基づいて当業者が容易に発明をすることができたものであるから、特許法第２９条第２項の規定により特許を受けることができない。 
　そして、本願第１発明が特許を受けることができないものであるから、その余の請求項２及び３に係る発明について検討するまでもなく、本願は拒絶すべきものである。 
　よって、結論のとおり審決する。